【事件の表示】
　平成　９年特許願第２９１１５９号「ワークの形状寸法測定方法及び装置」拒絶査定に対する審判事件〔平成１１年　５月１１日出願公開、特開平１１−１２３６３５、請求項の数（２）〕について、次のとおり審決する。
【結　論】
　原査定を取り消す。
　本願の発明は、特許すべきものとする。
【理　由】
１　手続の経緯・本件発明
　本件出願は、平成９年１０月２３日に特許出願されたものであって、その請求項１及び２に係る発明（以下「本件発明１及び２」という。）は、同１２年６月２８日付及び同年１１月３０日付手続補正書により補正がされた明細書並びに願書に最初に添付した図面の記載からみて、その特許請求の範囲の請求項１及び２に記載された事項により特定される次のとおりのものと認める。
「【請求項１】　ワークの表面の座標値を主軸に装着した測定ヘッドの測定子によって測定するワークの形状寸法測定方法において、
　前記主軸に装着された前記測定ヘッドの測定子の中心位置の座標値（ｘ０，ｙ０，ｚ０）と前記主軸の軸心とのずれ分に当たる偏心量（ΔＸ，ΔＹ）及び前記主軸の軸心方向における所定の基準位置からのずれ分に当たる偏差量（ΔＺ）を求め、
　前記求めた偏心量（ΔＸ，ΔＹ）及び偏差量（ΔＺ）を記憶し、
　既知寸法を有した所定の校正手段の複数の校正用測定点に向かう各法線方向に沿って前記測定ヘッドの測定子を漸近移動させることにより前記測定子の各法線方向での押代ＰＬｎを求め、
　前記求めた測定ヘッドの測定子の各法線方向での押代ＰＬｎを前記各法線方向と対応付けて記憶し、
　前記ワークの測定点の位置及び前記測定点に対応した測定開始点の位置への移動指令を含んで予め作成された測定手順に基づいて、前記主軸と前記ワークとを相対移動させ、前記測定ヘッドの測定子を前記記憶した偏心量（ΔＸ，ΔＹ）及び偏差量（ΔＺ）を前記測定開始点の位置に取り込んで求めた測定開始点へ位置決めし、
　前記測定ヘッドの測定子を前記求めた測定開始点から前記測定点へ向かう法線方向に沿って漸近移動させ、該測定点における測定信号を受信したときの前記測定点の座標値（ｘ，ｙ，ｚ）を検出して、取り込み、
　前記測定点の近傍の複数の法線方向を選定し、該選定した複数の法線方向に対応する複数の前記記憶した押代から演算により前記ワークの測定時の法線方向に応じた押代ＰＬを求め、
　前記取り込まれた測定点の座標値（ｘ，ｙ，ｚ）に対して前記求めた押代ＰＬと前記記憶した偏心量（ΔＸ，ΔＹ）及び偏差量（ΔＺ）とにより補正した前記測定点の座標値（Ｈｘ，Ｈｙ，Ｈｚ）を求め、
　前記補正された測定点の座標値（Ｈｘ，Ｈｙ，Ｈｚ）から前記ワークの形状寸法の測定値を演算する、
ことを特徴としたワークの形状寸法測定方法。
　【請求項２】　ワークの表面の座標値を主軸に装着した測定ヘッドの測定子によって測定するワークの形状寸法測定装置において、
　前記主軸に装着された前記測定ヘッドの測定子の中心位置の座標値（ｘ０，ｙ０，ｚ０）と前記主軸の軸心とのずれ分に当たる偏心量（ΔＸ，ΔＹ）及び前記主軸の軸心方向における所定の基準位置からのずれ分に当たる偏差量（ΔＺ）を求める偏心・偏差量演算手段と、
　前記偏心・偏差量演算手段で求めた偏心量（ΔＸ，ΔＹ）及び偏差量（ΔＺ）を記憶する偏心・偏差量記憶手段と、
　前記測定ヘッドの測定子を既知寸法を有した所定の校正手段の複数の校正用測定点へ向かう各法線方向に沿って漸近移動させることにより前記測定子の各法線方向での押代ＰＬｎを求める校正用押代演算手段と、
　前記校正用押代演算手段で求めた前記測定ヘッドの測定子の各法線方向での押代ＰＬｎを前記各法線方向と対応付けて記憶する押代記憶手段と、
　前記ワークの測定点の位置及び前記測定点に対応した測定開始点の位置への移動指令を含んで予め作成された測定手順に基づいて、前記主軸と前記ワークとを相対移動させ、前記測定ヘッドの測定子を前記測定開始点の位置に前記偏心・偏差量記憶手段で記憶した偏心量（ΔＸ，ΔＹ）及び偏差量（ΔＺ）を取り込んで求めた測定開始点へ位置決めし、かつ前記求めた測定開始点から前記測定点へ向かう法線方向に沿って漸近的に測定移動せしめる測定子移動手段と、
　前記測定子移動手段によって前記測定ヘッドの測定子を前記求めた測定開始点から前記測定点へ向かう法線方向に沿って漸近移動させ、前記測定点における測定信号を受信したときの前記測定点の座標値（ｘ，ｙ，ｚ）を読み取る測定座標値読取り手段と、
　前記測定点の近傍の複数の法線方向を選定し、該選定した複数の法線方向に対応する複数の前記押代記憶手段で記憶した押代から前記ワークの測定時の法線方向に応じた押代ＰＬを求める測定用押代演算手段と、
　前記測定座標値読取り手段によって読み取った前記測定点の座標値（ｘ，ｙ，ｚ）に対して、前記測定用押代演算手段で求めた押代ＰＬと前記偏心・偏差量記憶手段で記憶した偏心量（ΔＸ，ΔＹ）及び偏差量（ΔＺ）とにより補正をした前記測定点の座標値（Ｈｘ，Ｈｙ，Ｈｚ）を求める補正座標値演算手段と、
を具備し、前記補正座標値演算手段によって補正した前記ワークの測定点の座標値（Ｈｘ，Ｈｙ，Ｈｚ）から前記ワークの形状寸法を演算、測定することを特徴としたワークの形状寸法測定装置。」
２　引用例
　原査定の拒絶の理由に引用した本件出願前に日本国内において頒布された刊行物である特開平４−６３６６４号公報（以下「引用例１」という。）には、タッチプローブによる任意方向の計測方法の発明が記載され、特開平２−４４２０７号公報（以下「引用例２」という。）には、ワーク自動計測方法の発明が記載されている。
３　対比・判断
　本件発明１と、引用例１及び２に記載された発明とを対比すると、引用例１及び２に記載された発明は、主軸に装着した測定ヘッドの測定子によってワークの形状寸法を測定するものであり、本件発明１と共通する事項を有するものであるが、本件発明１の「前記主軸に装着された前記測定ヘッドの測定子の中心位置の座標値（ｘ０，ｙ０，ｚ０）と前記主軸の軸心とのずれ分に当たる偏心量（ΔＸ，ΔＹ）及び前記主軸の軸心方向における所定の基準位置からのずれ分に当たる偏差量（ΔＺ）を求め、前記求めた偏心量（ΔＸ，ΔＹ）及び偏差量（ΔＺ）を記憶し、」及び「前記取り込まれた測定点の座標値（ｘ，ｙ，ｚ）に対して前記求めた押代ＰＬと前記記憶した偏心量（ΔＸ，ΔＹ）及び偏差量（ΔＺ）とにより補正した前記測定点の座標値（Ｈｘ，Ｈｙ，Ｈｚ）を求め、」の事項については、引用例１及び２のいずれにも記載されておらず、かつ示唆もされていない。
　また、この偏心量（ΔＸ，ΔＹ）及び偏差量（ΔＺ）により測定値を補正することは、このことに関する発明が本件請求人により出願され（平成９年９月１７日出願、特願平９−２５２２４３号）、登録されている（特許第３１２６３２７号）ことを勘案すると、本件特許出願前に周知であるとすることはできない。
　以上のとおりであるので、本件発明１は、本件出願前に日本国内において頒布された引用例１及び２に記載された発明に基づいて当業者が容易に発明をすることができたものではない。
　以上、本件発明１について述べたが、本件発明２についても本件発明１と同様の理由により、本件出願前に日本国内において頒布された引用例１及び２に記載された発明に基づいて当業者が容易に発明をすることができたものではない。
４　むすび
　以上のとおりであるので、本件出願については、原査定の拒絶の理由によって拒絶すべきものとすることはできない。
　また、他に本件出願を拒絶すべき理由を発見しない。
　よって、結論のとおり審決する。